(57)【要約】      （修正有）【課題】構造を簡単にして取り扱いや操作性を容易にし、確実な接続が可能であり、患者の皮膚の損傷を招く不都合を解消させる医療用輸液チューブの接続装置を提供する。【解決手段】２本の輸液チューブの一方の輸液チューブ１に雌コネクター２が取り付けられ、他方の輸液チューブ３に雄コネクター４が取り付けられ、雄コネクターが取り付けられた輸液チューブに遊嵌状態で移動可能に配設されたロックナット５とからなり、他方の輸液チューブに、ロックナットの移動範囲を任意の範囲に規制するストッパーリング６を摺動移動可能に配設した構成とする。【選択図】図１
2011229550.tif 000002
【特許請求の範囲】
【請求項１】
少なくとも接続しようとする２本の輸液チューブの一方の輸液チューブの端部に雌コネクターが取り付けられ、他方の輸液チューブに雄コネクターが取り付けられ、該雄コネクターが取り付けられた輸液チューブに遊嵌状態で移動可能に配設されたロックナットとからなる接続装置であって、
前記他方の輸液チューブに、ロックナットの移動範囲を任意の範囲に規制するストッパーリングを摺動移動可能に配設したこと
を特徴とする医療用輸液チューブの接続装置。
【請求項２】
前記ストッパーリングは、前記雄コネクターとの間で前記ロックナットを挟むような位置関係に配設したこと
を特徴とする請求項１に記載の医療用輸液チューブの接続装置。
【請求項３】
前記ストッパーリングは、内周面に輸液チューブと摩擦係合状態で接触する複数の突起部を設けたこと
を特徴とする請求項１または２に記載の医療用輸液チューブの接続装置。
【発明の詳細な説明】
【技術分野】
【０００１】
本発明は、医療用の輸液セットや延長用輸液チューブにおける接続装置に関するものであり、ロック型とスリップ型兼用の接続装置またはスリップ型の接続装置として使用できる輸液チューブの接続装置に関するものである。
【背景技術】
【０００２】
この種の医療器具でロック型接続具を有する輸液チューブとして複数の技術が公知になっている。例えば、第１の公知例として、チューブ類の先端に固着されたコネクター芯部と該芯部の外周部で回転可能な外筒部からなり、コネクター芯部は中心部が通貫しており、先端部は外径が先細りのテーパーを有するチューブ状であり、つづいてリブ状部を有し、後部には複数個の突起部を備え、外筒部は後部は内面にリブ状部を有し、該リブ状部は芯部の後部の複数個の突起に対応する溝部を有するとともに、該リブ状部の内径はコネクター芯部のリブ状部の外径より小であり、全部は内面に内ネジを備えるものであることを特徴とするルアーロックコネクターである（特許文献１参照）。
【０００３】
このルアーロックコネクターは、雄コネクターの外筒部が回転でき、カテーテルやチューブがねじれることなく容易且つ確実に接続できるので、作業性の改良、確実な嵌合が得られ、臨床上極めて有用なものであるというものである。
【０００４】
例えば、第２の公知例として、基端側にロックナットの第一脱着防止部および基端側前方の外周面にロックナットの第二脱着防止部を有する雄ルアー部分と、ロックナット部分が前記雄ルアー部分に嵌装されているロック型接続具において、前記ロックナット部分が雄ルアー部分の第一脱着防止部より脱離が可能な構造であることを特徴とするロック型接続具である（特許文献２参照）。
【０００５】
このロック型接続具は、ひとつの接続部材で螺合によるロック型接続と嵌合のみによるスリップ型接続の２通りの方法で使用することが可能となる。また、ロック型接続を解除すると、スリップ型接続も同時に、且つ容易に解除することができるというものである。
【０００６】
また、第３の公知例として、先端側に雄ルアーを備えた雄コネクタに、ロックリングを嵌装してなるロック型接続具において、前記ロックリングの内腔を段筒状に形成し、その先端側の大径内腔部に、前記雄ルアーと接続される相手側雌コネクタの端部と螺合可能な第１の雌ねじを設けるとともに、その基端側の小径内腔部には、前記雄コネクタの基端側外周に形成した係止部と螺合可能な第２の雌ねじを設け、かつ前記雄コネクタの基端側外周前方に、前記ロックリングの内腔段部端面と当接可能な突起状ストッパを設けたことを特徴とするロック型接続具である（特許文献３参照）。
【０００７】
このロック型接続具は、使用者が意図する場合には容易で安全にロックナット脱着が可能で、逆に意図しない場合にはロックナットが容易に外れないようにすることができ、使い勝手が向上した。また、ロックリングの第１と第２の雌ねじの向きが互いに逆向きとなるように設定したので、目的が異なる脱着と締結の２つの機能を、同時に成立させることが出来て、使い勝手を一層向上させることができたというものである。
【先行技術文献】
【特許文献】
【０００８】
【特許文献１】実開昭５９−８７８４０号公報
【特許文献２】特開平７ー１４８２７１号公報
【特許文献３】特開２００４−８１４３３号公報
【発明の開示】
【発明が解決しようとする課題】
【０００９】
ところで、前記公知例１、２においては、表現の差はあるが、実質的に雄ルアーコネクターの基端外周に複数個の突起部を設け、該雄ルアーコネクターに嵌装されるロックナットに前記突起部に対応する複数の溝部を設け、突起部と溝部の位置をずらすことでロックナットを雄ルアーコネクターから離脱できないようにし、突起部と溝部の位置を合わせることで軸方向へのスライド移動を可能にして離脱できるように構成されており、一応、ロックナットは、雄ルアーコネクターとの関係でロック型とスリップ型の両方の機能を備えていることになる。
【００１０】
しかしながら、実際の使用において、雄ルアーコネクターを摘んで雌コネクターに挿着して嵌合させる操作の場合に、ロック型で使用すると遊嵌状態で雄ルアーコネクターを覆うように位置しているロックナットが邪魔で操作性が悪いばかりでなく、テープなどで患者に固定しようとする場合でも厚みがあって固定しにくいこと、および、使用者が意図しなくてもロック状態から外れてしまうという問題点を有する。また、逆にスリップ型で使用すると、ロックナットは雄ルアーコネクターを覆っていないので、雄ルアーコネクターを摘んで雌コネクターに簡単に挿着して嵌合させることができて操作性は良いが、その反面、ロックナットを雌コネクターの外周面に螺着させる際に、ロックナットは雄コネクターから遠い位置にあって雄ルアーコネクターを覆う位置までスライド移動させて持って来なければならず、しかも、その位置まで持って来ても、突起部と溝とを位置合わせして更に移動させて螺着させなければならず、その位置合わせがスムーズに行かない時もあり作業性が悪いという問題点も有している。
【００１１】
また、ロックナットをスリップ型で使用した場合に、ロックナットが可撓性チューブ上で自由に移動するので、例えば、点滴用として使用すると、ロックナットは患者側に移動することが多く、ロックナットが患者の皮膚に接触して炎症を起こしたり、特に、患者が新生児（未熟児など）や幼児に使用する場合に、ロックナットが身体の下に入り込んだりして自重による圧迫により皮膚の損傷を招くリスクがあるなどの種々の医療行為に不都合を生じさせるという問題点も有する。
【００１２】
さらに、前記公知例３においても、要するに、ロックナット（ロックリング）が前記公知例１、２と同様に雄ルアーコネクターとの関係でロック型とスリップ型の両方の機能を備えており、使用者が意図して操作しなければロック状態から外れないように、雄ルアーコネクターの基端側に逆向きのねじを形成し、ロックナットの基端側の小径内腔にも雌コネクターと螺合するねじとは逆向きの雌ねじを形成して螺合させるというものであり、その構造が複雑であると共に、使用において使用者が意図しなければはずせないので安全性は確保できるが、ロックナットを雌コネクターに螺合させる方向と同じ方向にロックナットを回転させないと、雄ルアーコネクターからロックナットを外してスリップ型にできないことになり、取扱者が戸惑って操作し難い（使い勝手が悪い）という問題点を有しているし、また、スリップ型にして使用した場合に、前記したように、ロックナット（ロックリング）が可撓性チューブ上で自由に移動することによる患者の皮膚の損傷を招くリスクがあるなどの種々の医療行為に不都合を生じさせるという問題点を有している。
【００１３】
ところで、前記公知技術における輸液チューブの接続においては、ロックナット（ロックリング）が雄ルアーコネクターとの関係でロック型とスリップ型の両方の機能を備えているが、ロック型で使用する場合にはいずれも操作性が悪いのであり、好ましくはスリップ型で使用した方が取り扱いや操作性などの面で優れているのである。
【００１４】
従って、前記公知技術における輸液チューブの接続装置において、構造を簡単にして取り扱いや操作性を容易にすること、および患者との関係で、患者の皮膚の損傷を招くリスクなどの医療行為における不都合を全面的に解消させることに解決課題がある。
【課題を解決するための手段】
【００１５】
本発明は、前記課題を解決する具体的手段として、少なくとも接続しようとする２本の輸液チューブの一方の輸液チューブの端部に雌コネクターが取り付けられ、他方の輸液チューブに雄コネクターが取り付けられ、該雄コネクターが取り付けられた輸液チューブに遊嵌状態で移動可能に配設されたロックナットとからなる接続装置であって、前記他方の輸液チューブに、ロックナットの移動範囲を任意の範囲に規制するストッパーリングを摺動移動可能に配設したことを特徴とする医療用輸液チューブの接続装置を提供するものである。
【００１６】
本発明に係る医療用輸液チューブの接続装置おいて、前記ストッパーリングは、前記雄コネクターとの間で前記ロックナットを挟むような位置関係に配設したこと；および前記ストッパーリングは、内周面に輸液チューブと摩擦係合状態で接触する複数の突起部を設けたこと；を付加的な要件として含むものである。
【発明の効果】
【００１７】
本発明に係る医療用輸液チューブの接続装置によれば、各構成部品をシンプルな構成に形成することができるので、構成が簡単でありながら、輸液チューブの確実な接続が可能であり、接続に係るロックナットはスリップ型であるが、該ロックナットの移動範囲を規制するストッパーリングを設けたことにより、該ストッパーリングを患者との距離を置いた位置、即ち雄コネクターの近傍に位置させて置けば、ロックナットの取り扱いおよび操作が容易であるし、ロックナットが不用意に移動し患者の皮膚に接触して損傷を招くリスクなどの医療行為における不都合を全面的に解消させることができるという優れた効果を奏する。
【図面の簡単な説明】
【００１８】
【図１】本発明に係る好ましい実施の形態に係る医療用輸液チューブの接続装置の要部を略示的に示した斜視図である。
【図２】同実施の形態に係る接続装置の要部を拡大して示した断面図である。
【図３】同実施の形態に係る接続装置に使用されるストッパーリングを拡大して示すもので、図（Ａ）は側面図、図（Ｂ）は後端側から見た背面図、図（Ｃ）は断面図である。
【発明を実施するための形態】
【００１９】
本発明を図示の実施の形態に基づいて説明する。図１において、好ましい形態の医療用輸液チューブの接続装置は、接続すべき可撓性の一方の輸液チューブ１の端部には雌コネクター２が設けられ、他方の輸液チューブ３の端部には雄コネクター４が設けられると共に輸液チューブ３に対して遊嵌状態で配設した移動可能なロックナット５と、該ロックナット５の移動範囲を任意に設定できるように、前記雄コネクター４との間でロックナット５を挟むような位置関係で配設した摺動移動可能なストッパーリング６とから構成されるものである。
【００２０】
雌コネクター２は、その外周面に取扱者が摘み易いように複数のウイング２ａが突出形成されている。また、雌コネクター２の内周面は、従来技術と同様に自由端部側が僅かに拡径し前記雄コネクター４を受け入れるテーパー面からなる雌ルアー２ｂが設けられると共に、自由端部側の外周面には雄ネジ２ｃが形成されており、従来から使用されているものがそのまま使用可能である。
【００２１】
雄コネクター４は、図２に示したように、その先端部が僅かに縮径するテーパー面からなる雄ルアー４ａに形成し、該雄ルアー４ａの基端側、つまり雄コネクター４の略中間付近を所要長さに渡って肉厚に形成すると共に、その外周面にリング状の膨出部からなる前記ロックナット５のストッパー部４ｂが形成されている。
【００２２】
ロックナット５は、図２に示したように、前記雄コネクター４に対して外嵌・離脱可能で所要長さの略円筒状に形成されたものであり、外周面に滑り止めともいえる複数条のリ
ブ状の突起部５ａが長さ方向に沿って形成され、内周面の先端側には前記雌コネクター２の雄ネジ２ｃと螺合する雌ネジ５ｂが設けられ、後端側内周面には前記雄コネクター４のストッパー部４ｂと回転自在に当接する段差部５ｃが設けられている。
【００２３】
ストッパーリング６は、図３（Ａ）に示したように、全体として短尺の円筒体でその外周面の略中央部には指掛けとなるリング状の突出部６ａが設けられると共に、前記ロックナット５側に位置する先端部は段差を介して小径部６ｂに形成されている。また、ストッパーリング６の内周面は、図３（Ｃ）に示したように、略中央部で先端部側と後端部側とに分けて先端部側を僅かに拡径して拡径部６ｃを形成し、後端部側の内周面には、前記輸液チューブ３と摩擦係合する複数の突起部６ｄが長さ方向に沿って設けられている。
【００２４】
このストッパーリング６における複数の突起部６ｄの頂部は、図３（Ｂ）に示したように、円弧状に形成し、これら突起部６ｄの頂部を結ぶ円形ａは、挿着される輸液チューブ３外径よりも僅かに小径に形成される。この僅かに小径というのは、好ましくは、輸液チューブ３の外径よりも０．０５〜０．１ｍｍ程度の範囲であって、突起部６ｄの頂部と輸液チューブ３の外周面とが実質的に線状で接触し、或る程度の摩擦抵抗があるのでストッパーリング６を摘んで摺動移動させない限り自由には移動しないのである。なお、先端側の小径部６ｂは前記ロックナット５の後端部側に挿入嵌合し得るもので、拡径部６ｄには前記雄コネクター４の後端部側が嵌合し得るようになっている。
【００２５】
このように構成された医療用輸液チューブの接続装置は、一方の輸液チューブ１に取り付けられた雌コネクター２に対して、接続しようとする他方の輸液チューブ３に取り付けられた雄コネクター４を接続する際に、雌コネクター２を一方の手で摘み他方の手で雄コネクター４を摘んで雌ルアー２ｂに雄ルアー４ａを挿着し、続いて他方の手で輸液チューブ３に遊嵌状態で配設したロックナット５を摘み替えて雄コネクター４に被せるように前進させ、該雄コネクター４の雌ネジ５ｂを雌コネクター２の雄ネジ２ｃに螺着させることによって両輸液チューブ１、３が安定した状態で接続される。
【００２６】
この際に、接続しようとする他方の輸液チューブ３に設けられたロックナット５は、雄コネクター４に外嵌させて（被せて）置くのではなく、雄コネクター４の近傍にストッパーリング６によって支持させて待機状態にあるので、雄コネクター４を簡単に摘んで雌コネクター２に挿着させることができ、また、近傍に待機状態にあるロックナット５も摘み替えて雄コネクター４に簡単に被せて複数回捩れば（回せば）よいのであり、位置合わせなどの操作が不要であるのでその操作が簡単であってスムーズに接続・定着できるのである。なお、近傍というのは、雄コネクター４を摘む際に邪魔にならない範囲であって、せいぜい５ｃｍ程度以内であれば良いのである。
【００２７】
また、ロックナット５を接続・定着に使用した後のストッパーリング６は、そのままの位置に残して置いても良く、医療処置において邪魔になるようであれば、ロックナット５側にずらせて置けば良いのであり、また、ロックナット５を緩めて取り外す際には、緩めたロックナット５を雄コネクター４から離す方向に移動させれば、余計な操作をしなくてもストッパーリング６も押されて一緒に移動するのである。
【００２８】
いずれにしても、スリップ型の接続装置にすることによって、各部品の構成を単純化できるし、各部品の取り扱いおよび操作も簡単に行えるのであり、しかも、ストッパーリング６を設けることによって、フリーの状態にあるロックナット５の動きを任意の位置範囲に規制することができ、それによっても、操作性が著しく向上すると共に、特に、ロックナットによる幼児患者の皮膚の損傷を招くリスクなどの医療行為上の事故または不都合を全面的に解消できるのである。
【産業上の利用可能性】
【００２９】
本発明に係る医療用輸液チューブの接続装置は、スリップ型のみならず従来技術に係るロック型の接続器具にもロックナットの動きを規制するストッパーリングを設けることによって、ロックナットの操作性が向上すると共に、医療行為上の種々の事故または不都合を解消できるのであり、この種輸液チューブの接続用として広く利用できるのである。
【符号の説明】
【００３０】
１、３  輸液チューブ  
２  雌コネクター
２ａ  ウイング
２ｂ  雌ルアー
２ｃ  雄ネジ
４  雄コネクター
４ａ  雄ルアー  
４ｂ  ストッパー部
５  ロックナット
５ａ  リブ状の突起部
５ｂ  雌ネジ
５ｃ  段差部
６  ストッパーリング
６ａ  リング状の突出部
６ｂ  小径部
６ｃ  拡径部
６ｄ  突起部
ａ  円形
【図１】
2011229550.tif 000003
【図２】
2011229550.tif 000004
【図３】
2011229550.tif 000005